(57)【要約】【課題】分類を用いて容易にウェブページを検索することが可能な検索システムを提供することを課題とする。【解決手段】ユーザから入力された検索情報及び、階層構造で分類を登録した分類情報に基づいて、ウェブページのURL及び検索キーワードを有する索引情報を検索する検索システムであって、ユーザから、検索クエリ又は分類の選択要求の入力を受け付ける手段と、前記検索クエリによって特定される分類を決定する手段と、ユーザから指定された分類に基づいて、ユーザ端末に表示する分類表示部の表示処理を行う手段と、ユーザにより指定された階層関係となる複数の分類及び前記索引情報に基づいて検索処理する手段と、検索処理結果に基づいてユーザ端末に表示する結果表示部の表示処理を行う手段と、表示処理結果をユーザ端末に出力する手段と、を備え、前記分類表示部は、ユーザから入力された前記検索クエリ又は、分類の選択要求に基づいて指定される分類及び前記分類を親とする子分類の分類名を、２階層以上の階層構造で表示すること、を特徴とする。【選択図】図４
2018200582.tif 000002
【特許請求の範囲】
【請求項１】
ユーザから入力された検索情報及び、階層構造で分類を登録した分類情報に基づいて、ウェブページのURL及び検索キーワードを有する索引情報を検索する検索システムであって、
ユーザから、検索クエリ又は分類の選択要求の入力を受け付ける手段と、
前記検索クエリによって特定される分類を決定する手段と、
ユーザから指定された分類に基づいて、ユーザ端末に表示する分類表示部の表示処理を行う手段と、
ユーザにより指定された階層関係となる複数の分類及び前記索引情報に基づいて検索処理する手段と、
検索処理結果に基づいてユーザ端末に表示する結果表示部の表示処理を行う手段と、
表示処理結果をユーザ端末に出力する手段と、を備え、
前記分類表示部は、ユーザから入力された前記検索クエリ又は、分類の選択要求に基づいて指定される分類及び前記分類を親とする子分類の分類名を、２階層以上の階層構造で表示すること、を特徴とする検索システム。
【請求項２】
前記分類表示部は、結果情報に含まれる階層構造化された複数の分類名の少なくとも一部を表示領域に表示し、
ユーザからの前記表示領域の移動要求に基づいて前記表示領域を移動させて、前記表示領域外に含まれる分類名を表示可能であること、を特徴とする請求項１に記載の検索システム。
【請求項３】
前記分類表示部は、１の親分類に対して複数の子分類が紐づけられている場合、
子分類の一部のみを表示させ、それ以外の子分類は非表示として、１の親分類に対して表示する子分類の数を制限すること、を特徴とする請求項１又は請求項２に記載の検索システム。
【請求項４】
前記検索処理では、検索時の起点となった上位の分類から、ユーザから指定された最も下位の分類までに含まれる２以上の分類を用いて、索引情報を検索処理することを特徴とする請求項１〜３の何れかに記載の検索システム。
【請求項５】
前記結果表示部は、ユーザから指定された最も下位の分類による検索処理結果を表示するタブと、
ユーザから指定された最も下位の分類とは別の、共通する親分類に従属する分類による検索処理結果を表示する１以上のタブと、を表示することを特徴とする請求項１〜４の何れかに記載の検索システム。
【請求項６】
前記分類表示部に表示された最も下位の分類について、２以上の分類を指定する指定要求を受け付け、
前記分類表示部は、指定された分類による検索処理結果を表示する２以上のタブを表示することを特徴とする請求項１〜５の何れかに記載の検索システム。
【請求項７】
前記索引情報は、更に、画像情報と、ウェブサイトに関するテキスト情報と、を含み、
前記結果表示部は、検索処理によって得られたウェブページごとに、前記画像情報及びテキスト情報を並べて配置し、ハイパーリンクを作成したページ表示部を表示すること、を特徴とする請求項１〜６の何れかに記載の検索システム。
【請求項８】
前記ページ表示部は、複数の画像情報が配置されており、選択された画像情報を拡大して表示することを特徴とする請求項７に記載の検索システム。
【請求項９】
前記ページ表示部の画像情報及びテキスト情報の配置の変更要求を受け付け、表示変更に係る表示処理を行い、表示処理結果をユーザ端末に出力する手段を備えることを特徴とする請求項７又は請求項８に記載の検索システム。
【請求項１０】
ユーザから入力された検索情報及び、階層構造で分類を登録した分類情報に基づいて、ウェブページのURL及び検索キーワードを有する索引情報を検索する検索方法であって、
検索システムが、ユーザから、検索クエリ又は分類の選択要求の入力を受け付ける処理と、
前記検索クエリによって特定される分類を決定する処理と、
ユーザから指定された分類に基づいて、ユーザ端末に表示する分類表示部の表示処理と、
ユーザにより指定された階層関係となる複数の分類及び前記索引情報に基づいて検索処理する処理と、
検索処理結果に基づいてユーザ端末に表示する結果表示部の表示処理と、
表示処理結果をユーザ端末に出力する処理と、を行い、
前記分類表示部は、ユーザから入力された前記検索クエリ又は、分類の選択要求に基づいて指定される分類及び前記分類を親とする子分類の分類名を、２階層以上の階層構造で表示すること、を特徴とする検索方法。
【請求項１１】
ユーザから入力された検索情報及び、階層構造で分類を登録した分類情報に基づいて、ウェブページのURL及び検索キーワードを有する索引情報を検索する検索サーバであって、
ユーザから、検索クエリ又は分類の選択要求の入力を受け付ける手段と、
前記検索クエリによって特定される分類を決定する手段と、
ユーザから指定された分類に基づいて、ユーザ端末に表示する分類表示部の表示処理を行う手段と、
ユーザにより指定された階層関係となる複数の分類及び前記索引情報に基づいて検索処理する手段と、
検索処理結果に基づいてユーザ端末に表示する結果表示部の表示処理を行う手段と、
表示処理結果をユーザ端末に出力する手段と、を備え、
前記分類表示部は、ユーザから入力された前記検索クエリ又は、分類の選択要求に基づいて指定される分類及び前記分類を親とする子分類の分類名を、２階層以上の階層構造で表示すること、を特徴とする検索サーバ。
【請求項１２】
ユーザから入力された検索情報及び、階層構造で分類を登録した分類情報に基づいて、ウェブページのURL及び検索キーワードを有する索引情報を検索する検索プログラムであって、
コンピュータを、ユーザから、検索クエリ又は分類の選択要求の入力を受け付ける手段と、
前記検索クエリによって特定される分類を決定する手段と、
ユーザから指定された分類に基づいて、ユーザ端末に表示する分類表示部の表示処理を行う手段と、
ユーザにより指定された階層関係となる複数の分類及び前記索引情報に基づいて検索処理する手段と、
検索処理結果に基づいてユーザ端末に表示する結果表示部の表示処理を行う手段と、
表示処理結果をユーザ端末に出力する手段と、として機能させ、
前記分類表示部は、ユーザから入力された前記検索クエリ又は、分類の選択要求に基づいて指定される分類及び前記分類を親とする子分類の分類名を、２階層以上の階層構造で表示すること、を特徴とする検索プログラム。
【発明の詳細な説明】
【技術分野】
【０００１】
本発明は、ユーザからの要求に応じてウェブページを表示する検索システムに関する。
【背景技術】
【０００２】
インターネットの普及に伴って、ウェブページを介した情報の提供が盛んに行われている。ユーザは、ウェブブラウザを介して検索エンジンを利用して、所望の情報が掲載されたウェブページを検索、表示して情報を得ることができる。
【０００３】
一般な検索システムでは、インターネット等の通信ネットワークにより通信可能なサーバ（ウェブサーバやファイルサーバ等）から、ユーザが入力した検索クエリに合致するウェブページを検索するために、予め、ウェブページの情報等を収集して、インデックスデータベースを作成している。検索エンジンは、このインデックスを用いて、ユーザが所望する検索条件に合致するウェブページを検索する。
【０００４】
分類を用いて情報検索を行う技術として、例えば、ジャンルに含まれる各階層のジャンル要素を夫々語句で示すタグ情報が当該ジャンルに対応付けてジャンルデータベースに登録され、ジャンルに対応付けられたタグ情報がタグデータベースに登録され、指定情報を分類者用端末装置から受信し、受信された指定情報が示す検索対象を、当該指定情報が示すジャンルに対応するタグ情報に対応付けて検索対象データベースに登録し、キーワード情報を閲覧者用端末装置から受信し、受信されたキーワード情報が示す語句を含むタグ情報をタグデータベースから検索し、検索されたタグ情報が対応付けられた検索対象を検索対象データベースから検索し、検索された検索対象の一覧を検索結果として表示する画面を構成する検索結果画面情報を生成し端末装置に送信する技術が知られている（特許文献１）。
【先行技術文献】
【特許文献】
【０００５】
【特許文献１】特開２０１０−１５２４４１号公報
【発明の概要】
【発明が解決しようとする課題】
【０００６】
しかしながら従来技術では、分類（タグ）を用いてウェブページを検索する際に、利用者が直感的に利用できるような技術については、開示されていない。分類を用いて、容易にウェブページの検索を行うことが可能な検索システムが求められていた。
【０００７】
本発明は、上記のような実状に鑑みてなされたものであり、分類を用いて容易にウェブページを検索することが可能な検索システムを提供することを課題とする。
【課題を解決するための手段】
【０００８】
上記課題を解決する為に、本発明は、ユーザから入力された検索情報及び、階層構造で分類を登録した分類情報に基づいて、ウェブページのURL及び検索キーワードを有する索引情報を検索する検索システムであって、
ユーザから、検索クエリ又は分類の選択要求の入力を受け付ける手段と、
前記検索クエリによって特定される分類を決定する手段と、
ユーザから指定された分類に基づいて、ユーザ端末に表示する分類表示部の表示処理を行う手段と、
ユーザにより指定された階層関係となる複数の分類及び前記索引情報に基づいて検索処理する手段と、
検索処理結果に基づいてユーザ端末に表示する結果表示部の表示処理を行う手段と、
表示処理結果をユーザ端末に出力する手段と、を備え、
前記分類表示部は、ユーザから入力された前記検索クエリ又は、分類の選択要求に基づいて指定される分類及び前記分類を親とする子分類の分類名を、２階層以上の階層構造で表示すること、を特徴とする。
【０００９】
このような構成とすることで、階層構造をもった分類を分類表示部に表示させ、容易に分類に基づいたウェブページの検索を行うことが可能となる。
【００１０】
本発明の好ましい形態では、前記分類表示部は、結果情報に含まれる階層構造化された複数の分類名の少なくとも一部を表示領域に表示し、
ユーザからの前記表示領域の移動要求に基づいて前記表示領域を移動させて、前記表示領域外に含まれる分類名を表示可能であること、を特徴とする。
このような構成とすることで、階層構造が複雑化した場合であっても、容易に検索を行うことが可能な、検索システムを提供することが可能となる。
【００１１】
本発明の好ましい形態では、前記分類表示部は、１の親分類に対して複数の子分類が紐づけられている場合、
子分類の一部のみを表示させ、それ以外の子分類は非表示として、１の親分類に対して表示する子分類の数を制限すること、を特徴とする。
このような構成とすることで、階層構造が複雑化した場合であっても、容易に検索を行うことが可能な、検索システムを提供することが可能となる。
【００１２】
本発明の好ましい形態では、前記検索処理では、検索時の起点となった上位の分類から、ユーザから指定された最も下位の分類までに含まれる２以上の分類を用いて、索引情報を検索処理することを特徴とする。
【００１３】
本発明の好ましい形態では、前記結果表示部は、ユーザから指定された最も下位の分類による検索処理結果を表示するタブと、
ユーザから指定された最も下位の分類とは別の、共通する親分類に従属する分類による検索処理結果を表示する１以上のタブと、を表示することを特徴とする。
このような構成とすることで、分類を用いたウェブページの検索結果を効率的に提示することが可能となる。
【００１４】
本発明の好ましい形態では、前記分類表示部に表示された最も下位の分類について、２以上の分類を指定する指定要求を受け付け、
前記分類表示部は、指定された分類による検索処理結果を表示する２以上のタブを表示することを特徴とする。
このような構成とすることで、分類を用いたウェブページの検索結果を効率的に提示することが可能となる。
【００１５】
本発明の好ましい形態では、前記索引情報は、更に、画像情報と、ウェブサイトに関するテキスト情報と、を含み、
前記結果表示部は、検索処理によって得られたウェブページごとに、前記画像情報及びテキスト情報を並べて配置し、ハイパーリンクを作成したページ表示部を表示すること、を特徴とする。
このような構成とすることで、分類を用いたウェブページの検索結果を効率的に提示することが可能となる。
【００１６】
本発明の好ましい形態では、前記ページ表示部は、複数の画像情報が配置されており、選択された画像情報を拡大して表示することを特徴とする。
このような構成とすることで、分類を用いたウェブページの検索結果を効率的に提示することが可能となる。
【００１７】
本発明の好ましい形態では、前記ページ表示部の画像情報及びテキスト情報の配置の変更要求を受け付け、表示変更に係る表示処理を行い、表示処理結果をユーザ端末に出力する手段を備えることを特徴とする。
このような構成とすることで、分類を用いたウェブページの検索結果を効率的に提示することが可能となる。
【００１８】
本発明は、ユーザから入力された検索情報及び、階層構造で分類を登録した分類情報に基づいて、ウェブページのURL及び検索キーワードを有する索引情報を検索する検索方法であって、
検索システムが、ユーザから、検索クエリ又は分類の選択要求の入力を受け付ける処理と、
前記検索クエリによって特定される分類を決定する処理と、
ユーザから指定された分類に基づいて、ユーザ端末に表示する分類表示部の表示処理と、
ユーザにより指定された階層関係となる複数の分類及び前記索引情報に基づいて検索処理する処理と、
検索処理結果に基づいてユーザ端末に表示する結果表示部の表示処理と、
表示処理結果をユーザ端末に出力する処理と、を行い、
前記分類表示部は、ユーザから入力された前記検索クエリ又は、分類の選択要求に基づいて指定される分類及び前記分類を親とする子分類の分類名を、２階層以上の階層構造で表示すること、を特徴とする。
【００１９】
本発明は、ユーザから入力された検索情報及び、階層構造で分類を登録した分類情報に基づいて、ウェブページのURL及び検索キーワードを有する索引情報を検索する検索サーバであって、
ユーザから、検索クエリ又は分類の選択要求の入力を受け付ける手段と、
前記検索クエリによって特定される分類を決定する手段と、
ユーザから指定された分類に基づいて、ユーザ端末に表示する分類表示部の表示処理を行う手段と、
ユーザにより指定された階層関係となる複数の分類及び前記索引情報に基づいて検索処理する手段と、
検索処理結果に基づいてユーザ端末に表示する結果表示部の表示処理を行う手段と、
表示処理結果をユーザ端末に出力する手段と、を備え、
前記分類表示部は、ユーザから入力された前記検索クエリ又は、分類の選択要求に基づいて指定される分類及び前記分類を親とする子分類の分類名を、２階層以上の階層構造で表示すること、を特徴とする。
【００２０】
本発明は、ユーザから入力された検索情報及び、階層構造で分類を登録した分類情報に基づいて、ウェブページのURL及び検索キーワードを有する索引情報を検索する検索プログラムであって、
コンピュータを、ユーザから、検索クエリ又は分類の選択要求の入力を受け付ける手段と、
前記検索クエリによって特定される分類を決定する手段と、
ユーザから指定された分類に基づいて、ユーザ端末に表示する分類表示部の表示処理を行う手段と、
ユーザにより指定された階層関係となる複数の分類及び前記索引情報に基づいて検索処理する手段と、
検索処理結果に基づいてユーザ端末に表示する結果表示部の表示処理を行う手段と、
表示処理結果をユーザ端末に出力する手段と、として機能させ、
前記分類表示部は、ユーザから入力された前記検索クエリ又は、分類の選択要求に基づいて指定される分類及び前記分類を親とする子分類の分類名を、２階層以上の階層構造で表示すること、を特徴とする。
【発明の効果】
【００２１】
本発明によれば、分類を用いて容易にウェブページを検索することが可能な検索システムを提供することができる。
【図面の簡単な説明】
【００２２】
【図１】本発明の一実施形態に関る検索システムのシステム構成を示す図である。
【図２】本発明の一実施形態に関る検索サーバのハードウェア構成を示す図である。
【図３】本発明の一実施形態に関るユーザ端末に表示された検索画面の画面表示例である。
【図４】本発明の一実施形態に関るユーザ端末に表示された検索画面の画面表示例である。
【図５】本発明の一実施形態に関るユーザ端末に表示された検索画面の画面表示例である。
【図６】本発明の一実施形態に関るユーザ端末に表示された検索画面の画面表示例である。
【図７】本発明の一実施形態に関る索引情報の一例を示す図である。
【図８】本発明の一実施形態に関るユーザ端末に表示された結果画面の画面表示例である。
【図９】本発明の一実施形態に関るユーザ端末に表示された結果画面の画面表示例である。
【図１０】本発明の一実施形態に関るユーザ端末に表示された結果画面の画面表示例である。
【図１１】本発明の一実施形態に関る検索結果を表示する際の表示形式を変更する際の図である。
【図１２】本発明の一実施形態に関る検索クエリの入力の流れを示すフローチャートである。
【発明を実施するための形態】
【００２３】
以下、添付図面を参照して、本発明の一実施形態について説明する。図面には好ましい実施形態が示されている。しかし、多くの異なる形態で実施されることが可能であり、本明細書に記載される実施形態に限定されない。
【００２４】
例えば、本実施形態では検索システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２５】
図１は、本発明の一実施形態に関する検索システムのシステム構成を示す図である。検索システムは、ユーザから要求に基づいてウェブページの索引情報を検索し、検索結果を表示させるための検索サーバ１と、ウェブブラウザアプリケーションを介してウェブページの検索、ウェブページの表示を行うユーザ端末２と、を備えている。検索サーバ１と、ユーザ端末２は、インターネット等のネットワークＮを介して通信可能に構成されている。
【００２６】
検索サーバ１は、分類制御手段３と、表示処理手段４と、検索手段５と、順位制御手段６と、記憶部１０と、を有している。記憶部１０は、分類情報と、索引情報と、を記憶している。分類情報は、分類名と分類の親子関係を少なくとも含む分類データを有している。
【００２７】
図２は、検索サーバ１のハードウェア構成を示す図である。ＣＰＵ１０１には、メモリ１０２、ハードディスク１０３、入力装置１０４、出力装置１０５、通信装置１０６が接続されている。ハードディスク１０３には、オペレーティングシステム（ＯＳ）１０７、検索プログラム１０８などが記録されている。検索プログラム１０８は、オペレーティングシステム（ＯＳ）１０７と協調してその機能を発揮するものである。
【００２８】
ユーザ端末２は、記憶したウェブブラウザアプリケーションを介して、ウェブページの検索及び表示を行う為の装置である。例えば、ＣＰＵ、メモリ、ハードディスク、キーボードやマウス等の入力装置、スピーカやモニタ等の出力装置、ネットワークに接続する為の通信装置が接続されている。ハードディスクには、オペレーティングシステム（ＯＳ）、ウェブブラウザアプリケーションなどが記録されている。ユーザ端末２は、必ずしもユーザが検索に際して直接する端末装置でなくてもよく、例えば、ＡＰＩ（Application Programming Interface）によって検索サーバ１を利用する別のサーバ装置であってもよい。
【００２９】
図３は、ユーザ端末２における検索画面の画面表示例である。図３（ａ）に示すように、検索画面Ｗ１は、分類表示部Ｗ２と、クエリ入力部Ｗ３と、検索制御部Ｗ４と、地域指定部Ｗ５を備えている。検索制御部Ｗ４は、分類表示部Ｗ２や、結果表示部Ｗ６０の表示形式の変更要求、検索処理の制御要求等を行う。地域指定部Ｗ５を介して、郵便番号や住所、電話番号等を指定することができ、特定の地域に等に絞って検索を行うことができる。
【００３０】
図３（ｂ）に示すように、検索制御部Ｗ４は、表示する画像の種別（「静止画のみ」、「動画のみ」、「静止画及び動画」等）を切り替える為の画像種別制御部Ｗ４１と、検索結果を表示する際の画像の表示枚数を制御する画像枚数制御部Ｗ４２と、検索結果を表示する際の表示形式を制御する表示形式制御部Ｗ４３と、検索方法（一般的なフリーワード検索／本実施形態のようなカテゴリ検索）を切り替える検索方法制御部Ｗ４４と、検索画面及び／又は結果画面のスクロールバーの表示／非表示を切り替えるスクロールバー表示制御部Ｗ４５と、検索画面及び／又は結果画面の選択部（チェックボックス）の表示／非表示を切り替える選択部表示制御部Ｗ４６と、一覧表示制御部Ｗ４７と、タブ表示制御部Ｗ４８と、を備えている。
【００３１】
クエリ入力部Ｗ３は、ユーザからの分類情報の検索クエリの入力を受け付ける。また、検索方法制御部Ｗ４４により、検索方法を一般的な検索エンジンで行われているフリーワード検索に切り替えた場合には、クエリ入力部Ｗ３に検索用のキーワードを入力して、検索を行う。分類表示部Ｗ２は、クエリ入力部Ｗ３から入力されたキーワード及び分類表示部に表示された分類の選択要求に基づく分類と、その子分類が表示される。
【００３２】
分類制御手段３は、ユーザ端末２から入力された検索クエリ又は分類の選択要求の入力を受け付ける処理と、検索クエリが入力された場合に、検索クエリによって特定される分類を決定する処理と、を行う。本実施形態では、ユーザから指定された分類を用いて、記憶部１０に記憶された分類データ検索し、少なくとも、その子に当る分類をユーザ端末２に表示させている。クエリ入力部Ｗ３から検索クエリが入力されると、検索クエリによって特定される分類を決定する処理を行う。
【００３３】
分類制御手段３を介してユーザから指定された分類に基づいて、表示処理手段４は、ユーザ端末２に表示する分類表示部の表示処理と、表示処理結果をユーザ端末２に出力する処理と、を行う。表示処理の一部は、必ずしも検索サーバ１によって実施される必要はなく、ユーザ端末２のウェブブラウザアプリケーション等において行われても構わない。
【００３４】
クエリ入力部Ｗ３に検索クエリ（図１におけるキーワード「買い物」）を入力すると、分類制御手段３は、入力された検索クエリを受け付ける処理と、検索クエリによって特定される分類を決定する処理を行う。分類情報が決定されると、表示処理手段４は、分類表示部Ｗ２についての表示処理と、表示処理結果をユーザ端末２に出力する処理と、を行う。
【００３５】
図４は、分類表示部Ｗ２に分類が表示された状態の画面表示例である。分類表示部Ｗ２において分類が選択されると、分類制御手段３は、分類の選択要求の入力を受け付ける。なお、分類情報の表示処理は、必ずしも検索サーバ１によって実施される必要はなく、予め必要な情報を検索サーバ１より受け取った、ユーザ端末２のウェブブラウザアプリケーション等において行われても構わない。
【００３６】
分類表示部Ｗ２は、ユーザから指定された分類及び前記分類を親とする子分類の分類名の少なくとも一部を、表示領域に表示し２階層以上の階層構造で表示する。図４の画面表示例では、ユーザから指定された分類の子分類及び孫分類の合計３階層を表示している。
【００３７】
分類１Ａ（図４における分類名「買い物」）には、その子となる分類１Ａ（図４における分類名「食品」）、分類１Ｂ（図４における分類名「生活用品  日用雑貨」）、分類１Ｃ（図４における分類名「衣服」）、分類１Ｄ（図４における分類名「家電」）、分類１Ｅ（図４における分類名「つづき（その他）」）がぶら下がっている。また、分類１Ａには、更に分類２Ａ、２Ｂ、・・・、２Ｅが紐づけられている。
【００３８】
１の親分類に対して複数の子分類が紐づけられている場合、子分類の一部のみを表示させ、それ以外の子分類は非表示として、１の親分類に対して表示する子分類の数を制限するように表示しても構わない。本実施形態では、分類１Ａに紐づいた複数の分類のうち、所定件数の分類（上位４つの分類２Ａ〜Ｃ２Ｄ）は分類名を表示させ、それ以外の分類については、非表示（分類２Ｅ）としている。
【００３９】
分類表示部Ｗ２に表示させる分類の階層の数は、分類を指定したタイミング等に応じて変更してもよい。分類を指定するにつれ、選択可能な下位の分類は増大する為、例えば、表示させる順番が後ろになるほど、同時に表示する階層の数を抑えるように構成してもよい。具体的には、最初の分類の指定に対しては３階層（例えば、ユーザから指定された分類、その子分類、孫分類）を表示させ、それ以降の分類の指定に対しては、２階層または１階層ずつ表示させるように構成しても構わない。
【００４０】
分類３Ａ（図４における分類名「生鮮食品」）が選択される又は、クエリ入力部Ｗ３に分類名が入力されると、更に下位の分類（図示例では、２階層下位の分類）が表示される。図５は、更にその下位の分類を表示した際の画面表示例である。この画面から、分類５Ａ（図４における分類名「お刺身  お造り」）が選択されると、更に１階層下位の分類が表示される。図６は、更にその下位の分類を表示した際の画面表示例である。
【００４１】
分類表示部Ｗ２の表示領域には、ユーザから指定された分類の一部が表示されており、ユーザは、ユーザ端末２の入力装置を介して、表示領域の移動要求を行うことができる。図６では、表示領域には、分類４〜６の階層の分類が表示されているが、より上位の分類１〜３や、分類４〜６の表示されていない分類等を表示させたい場合、表示領域の移動要求を行う。
【００４２】
表示領域の移動要求が行われると、表示処理手段４は、ユーザ端末２からの移動要求に基づいて表示領域を移動させて、ユーザ端末２に表示されていた表示領域外に含まれる分類名を表示可能に、分類表示部の表示処理を行い、表示処理結果をユーザ端末２に返送する。表示処理は、必ずしも検索サーバ１によって実施される必要はなく、ユーザ端末２のウェブブラウザアプリケーション等において行われても構わない。
【００４３】
図６では、分類表示部Ｗ２に最下層の分類（図６における分類６Ａ〜６Ｔ）が表示されている。ユーザが最下層の分類を選択すると、選択された分類に基づく結果表示部がユーザ端末２に表示される。本実施形態では、最下層の分類の指定に基づいて、分類指定の完了を判断しているが、ユーザからの要求に基づいて、任意のタイミングにて分類指定の完了を受付け、検索要求を送出するようにしてもよい。
【００４４】
検索手段５は、ユーザ端末２を介して指定された階層関係となる複数の分類及び索引情報に基づいて検索処理する処理を行う。検索処理では、例えば、検索時の起点となった上位の分類から、ユーザから指定された最も下位の分類までに含まれる２以上の分類を用いて、索引情報を検索処理する。本実施形態では、「買い物」、「食品」、「生鮮食品」、「鮮魚」、「お刺身」、「お造り」、「本マグロ」、「大トロ」の分類情報の少なくとも一部を用いて、索引情報が検索される。
【００４５】
図７は、本実施形態における索引情報の一例を示す図である。索引情報は、インデックスID、URL、ページタイトル、分類情報、検索ワード、画像情報、地域情報、インデックスの登録日時、等を有している。分類情報、検索ワード、画像情報、地域情報、などは、ウェブページをクローリングして得られた文章情報を構文解析して得られた情報や、任意に登録された情報により構成される。
【００４６】
分類情報には、分類を用いた検索に用いる為の分類が紐づけられている。検索ワードには、キーワード検索を行う際に用いられるキーワードが紐づけられている。テキスト情報は、ウェブページ内のテキスト等、結果表示の際に用いる情報を有している。画像情報は、ウェブページ内の画像（静止画、動画）等、結果表示の際に用いる情報を有している。インデックスの登録日時は、クローリングを行い、索引情報を登録した日時や更新した日時に関する情報を有している。
【００４７】
分類情報は、検索ワードやテキスト情報を兼ねてもよい。例えば、分類情報としてページ内のテキスト（テキスト情報）を記録しておき、指定された分類に基づいてテキストを構文解析して分類を抽出するように構成してもよい。
【００４８】
順位制御手段６は、検索処理の結果に基づいて導出された複数の索引情報を順位付けし、結果表示部に表示する順番を決定する。表示処理手段４は、検索処理結果及び順位に基づいてユーザ端末２に表示する結果表示部の表示処理と、表示処理結果をユーザ端末２に出力する処理と、を行う。
【００４９】
図８は、結果画面の画面表示例である。結果画面Ｗ６は、検索処理によって得られた索引情報（ウェブページ）ごとに、順位制御手段６によって決定された順位に基づいて並べられたページ表示部Ｗ６１を含む結果表示部Ｗ６０を備えている。それぞれのページ表示部Ｗ６１には、索引情報の有する画像情報Ｗ６２及びテキスト情報Ｗ６３が並べて配置され、ハイパーリンクＷ６４が作成されている。画像情報Ｗ６２は、画像種別制御部Ｗ４１によって指定された画像の種別（「静止画のみ」、「動画のみ」、「静止画及び動画」等）に応じて、該当する種別の画像が表示される。
【００５０】
図９は、２以上のタブで結果表示を行う場合の画面表示例である。結果画面Ｗ６には、タブＴ１〜Ｔ４が表示されている。本実施形態では、複数の条件で結果画面を表示させることが可能である。
【００５１】
分類表示部Ｗ２に分類を複数選択する為の選択部を設け、最下位の分類について、１又は２以上の分類を指定する指定要求を、送出するように構成してもよい。複数の分類の組についての指定要求を受け取った場合、検索手段５は、指定された２以上の分類による検索処理を行い、異なる結果（結果表示部Ｗ６０）を表示する２以上のタブを表示する。
【００５２】
また、複数のタブに異なる検索結果を表示する別の方法では、ユーザから指定された最も下位の分類（図６における分類６Ａ）による検索処理結果を表示するタブと、ユーザから指定された最も下位の分類とは別の、共通する親分類（図６における分類５Ａ）に従属する分類の少なくとも一部（図６における分類６Ｂ〜６Ｇ）による検索処理結果を表示する１以上のタブと、を表示するようにしても構わない。
【００５３】
また、それぞれのページ表示部Ｗ６１には、選択部Ｗ６５が表示されており、選択したウェブページを一覧表示することが可能である。ウェブページの選択要求を受け取ると、表示処理手段４は、ユーザ端末２に表示する一覧表示の表示処理と、表示処理結果をユーザ端末２に出力する処理と、を行う。
【００５４】
図１０は、結果画面の表示変更に関する画面表示例である。結果画面Ｗ６の結果表示部Ｗ６０に表示されたテキスト情報Ｗ６３を選択すると、ユーザ端末２から、テキスト情報の表示に係る表示処理要求が入力され、選択された選択されたテキスト情報を詳細に表示することができる。図１０（ａ）は、結果画面Ｗ６に表示されたテキスト情報Ｗ６３を詳細表示した際の画面表示例である。
【００５５】
結果画面Ｗ６に表示された画像情報Ｗ６２を選択すると、ユーザ端末２から、画像情報の拡大に係る表示処理要求が入力され、選択された選択された画像情報を拡大して表示することができる。図１０（ｂ）は、結果画面Ｗ６に表示された画像情報Ｗ６２を拡大表示した際の画面表示例である。本実施形態では、更に所定の動作（図示例では、拡大した状態から更にダブルクリック又はダブルタップ）を行うことで、拡大した画像情報Ｗ６２の全画面表示要求を入力し、全画面で表示することもできる。
【００５６】
図１１は、画像枚数制御部Ｗ４２及び表示形式制御部Ｗ４３を用いて、検索結果を表示する際の画像の表示枚数及び、検索結果を表示する際の表示形式を制御する際の図である。
【００５７】
図１１（ａ）〜図１１（ｃ）は、表示形式制御部Ｗ４３を介して、ページ表示部Ｗ６１の表示形式を変化させた場合の表示例である。図１１（ａ）は、画像情報Ｗ６２及びテキスト情報Ｗ６３を横並びに配置させた場合の表示例、図１１（ｂ）は、画像情報Ｗ６２を横並びに配置し、横並びに配置された画像情報と縦並びにテキスト情報Ｗ６３配置させた場合の表示例、図１１（ｃ）は、画像情報Ｗ６２を縦並びに配置し、縦並びに配置された画像情報と横並びにテキスト情報Ｗ６３配置させた場合の表示例を示す。なお、図１１において、ハイパーリンクＷ６４は、記載を省略している。この表示例は一例であって、ページ表示部Ｗ６１の表示形式は、ここで述べた表示方法に限らない。
【００５８】
図１１（ｄ）〜図１１（ｈ）は、画像枚数制御部Ｗ４２を介して、ページ表示部Ｗ６１の表示結果画像数を変化させた場合の表示例である。図１１（ｄ）は画像情報Ｗ６２を表示させていない（表示枚数が０枚）場合のページ表示部Ｗ６１の表示例である。図１１（ｅ）〜図１１（ｈ）は画像情報Ｗ６２及びテキスト情報Ｗ６３を横並びに配置させた場合（図１１（ａ）の場合）のページ表示部Ｗ６１の表示例であって、図１１（ｅ）は１枚、図１１（ｆ）は２枚、図１１（ｇ）は３枚、図１１（ｈ）は４枚の画像情報を表示した際の表示例である。この表示例は一例であって、ページ表示部Ｗ６１の表示形式は、ここで述べた表示方法に限らない。
【００５９】
次いで、図１２を用いて、検索クエリの入力の流れについて説明する。ユーザ端末２が検索画面の表示要求を行うと、検索サーバ１は検索画面の出力処理を行い、処理結果を返送する（ステップＳ１）。分類検索を行う場合（ステップＳ２でＹＥＳ）、ステップＳ３に進む。分類検索を行わない（キーワード検索を行う）場合（ステップＳ２でＮＯ）、ステップＳ１０に進む。
【００６０】
ステップＳ３では、ユーザは、分類の指定入力を行う。ユーザがクエリ入力部Ｗ３にキーワードを入力して分類を指定する場合（ステップＳ４でＹＥＳ）、キーワードに基づき分類が決定され（ステップＳ６）、指令された分類に対応した分類表示部の表示処理が行われる（ステップＳ７）。ユーザが分類表示部に表示された分類を選択して分類を指定する場合（ステップＳ４でＮＯ）、選択された分類に基づいて（ステップＳ５）、指令された分類に対応した分類表示部の表示処理が行われる（ステップＳ７）。
【００６１】
分類をさらに指定する場合（ステップＳ８でＮＯ）、ステップＳ３に戻り、キーワード又は分類表示部に表示された分類を指定することで、更なる分類を指定する。分類の指定が完了した場合（ステップＳ８でＹＥＳ）、分類による検索要求を検索サーバ１に送出する（ステップＳ９）。本実施形態では、最下層の分類の指定に基づいて、分類指定の完了を判断しているが、ユーザからの要求に基づいて、任意のタイミングにて分類指定の完了を受付け、検索要求を送出するようにしてもよい。
【００６２】
検索要求を送出する際に、地域情報が指定されている場合（ステップＳ１２でＹＥＳ）、検索クエリに地域情報を付加して（ステップＳ１３）、検索クエリを出力する（ステップＳ１４）。
【００６３】
分類検索を行わない（キーワード検索を行う）場合（ステップＳ２でＮＯ）、検索キーワードをクエリ入力部に入力し（ステップＳ１０）、検索キーワードによる検索要求を行って（ステップＳ１１）、ステップＳ１２に進む。
【００６４】
本発明によれば、階層構造をもった分類を分類表示部に表示させ、容易に分類に基づいたウェブページの検索を行うことが可能となる。また、階層構造が複雑化した場合であっても、容易に検索を行うことが可能な、検索システムを提供することが可能となる。また、分類を用いたウェブページの検索結果を効率的に提示することが可能となる。
【符号の説明】
【００６５】
１  検索サーバ
１０  記憶部
１０１  ＣＰＵ
１０２  メモリ
１０３  ハードディスク
１０４  入力装置
１０５  出力装置
１０６  通信装置
１０７  オペレーティングシステム（ＯＳ）
１０８検索プログラム
２  ユーザ端末
３  分類制御手段
４  表示処理手段
５  検索手段
６  順位制御手段
Ｎ  ネットワーク
Ｗ１  検索画面
Ｗ２  分類表示部
Ｗ３  クエリ入力部
Ｗ４  検索制御部
Ｗ４１  画像種別制御部
Ｗ４２  画像枚数制御部
Ｗ４３  表示形式制御部
Ｗ４４  検索方法制御部
Ｗ４５  スクロールバー表示制御部
Ｗ４６  選択部表示制御部
Ｗ４７  一覧表示制御部
Ｗ５  地域指定部
Ｗ６  結果画面
Ｗ６０  結果表示部
Ｗ６１  ページ表示部
Ｗ６２  画像情報
Ｗ６３  テキスト情報
Ｗ６４  ハイパーリンク
Ｔ１〜Ｔ４  タブ
【図１】
2018200582.tif 000003
【図２】
2018200582.tif 000004
【図３】
2018200582.tif 000005
【図４】
2018200582.tif 000006
【図５】
2018200582.tif 000007
【図６】
2018200582.tif 000008
【図７】
2018200582.tif 000009
【図８】
2018200582.tif 000010
【図９】
2018200582.tif 000011
【図１０】
2018200582.tif 000012
【図１１】
2018200582.tif 000013
【図１２】
2018200582.tif 000014